(57)【特許請求の範囲】
【請求項１】
室外機と、この室外機に接続された室内機と、該室内機に運転状態連絡手段を介して接続されたリモートスイッチとを備える空気調和機において、
前記室内機が設置されている部屋内の人の動きを検知する人感センサと、この人感センサに接続された運転状態判断手段と、空気調和機の運転動作を制御する運転動作制御手段と、時間カウント手段とを備え、
前記人感センサに接続された運転状態判断手段が、前記人感センサからの検知情報により、人の動きが少ないと判断した場合、前記運転動作制御手段を介して空気調和機の運転容量を低減し、
更に一定時間、前記人感センサからの検知情報により、人の動きが少ないと前記運転状態判断手段が判断した場合、前記運転動作制御手段を介して、更に空気調和機の運転容量を低減し、
前記人感センサからの検知情報により、人の動きが全くないと前記運転状態判断手段が判断した場合には、前記時間カウント手段により一定時間経過後、前記運転動作制御手段を介して、空気調和機の運転を停止させ、
更に、前記室内機に運転状態連絡手段を介して接続された前記リモートスイッチには運転状態表示手段が設けられると共に、前記室内機にも前記運転状態表示手段が設けられ、前記人感センサからの検知情報により、人の動きが全くないと前記運転状態判断手段が判断して空気調和機の運転を停止させた場合、前記リモートスイッチに設けられた前記運転状態表示手段及び前記室内機に設けられた前記運転状態表示手段により、前記人感センサからの検知情報により停止中であることを表示すると共に、
前記室外機には、複数台の室内機が接続されて複数の部屋を空調する構成とし、部屋毎に設けられた前記人感センサからの検知情報に基づいて、人の不在を認識した部屋に設置されている室内機のみを停止させるように、前記運転状態判断手段と運転動作制御手段により制御される構成とした
ことを特徴とする空気調和機。
【請求項２】
請求項１に記載の空気調和機において、前記リモートスイッチには、前記運転状態表示手段の他に、運転状態が表示される運転状態表示装置と、空気調和機の運転／停止の切り替えを行う運転／停止切り替え手段が設けられていることを特徴とする空気調和機。
【発明の詳細な説明】
【技術分野】
【０００１】
本発明は空気調和機に関し、特に省エネルギー運転を行うようにしたものに関する。
【背景技術】
【０００２】
空気調和機の運転／停止操作は、空気調和機が空調する空調エリアに設置されたリモートスイッチ、若しくは遠方に設置された遠隔制御装置により行われる。空調エリアに設置されたリモートスイッチは、空調エリアの使用者の意図により操作され、また、運転状態に関する情報を表示することで、使用者が空気調和機の運転を一義的に管理し把握できる利点がある。また、空気調和機の運転制御は、人を検知する人検知センサにより行われる場合がある。
【０００３】
例えば、リモートスイッチの運転状態に関する情報の表示例としては、特許文献１（特開２００６−１６２１２５号公報）に記載されたものがある。  
また、人検知センサによる空気調和機の制御に関するものとしては、特許文献２（特開２００５−２１４４３３号公報）に記載されたものがある。
【０００４】
更に、人検知センサによる空気調和機の運転状態の表示については、特許文献３（特開２００９−１９２１３２号公報）に記載されたものがある。
【先行技術文献】
【特許文献】
【０００５】
【特許文献１】特開２００６−１６２１２５号公報
【特許文献２】特開２００５−２１４４３３号公報
【特許文献３】特開２００９−１９２１３２号公報
【発明の概要】
【発明が解決しようとする課題】
【０００６】
上記特許文献１のものでは、リモートスイッチ等の操作手段からの変更を実施した後に、機器の動作状態を外部に所定の時間表示し、その後、次に操作があるまで、空気調和機の表示装置を消灯することができるようにしている。しかし、操作手段からの信号が無い場合は、表示装置の制御を行えないため、例えば、空気調和機が操作手段以外の操作で運転状態が変わった場合にはその機能を活用できない。
【０００７】
上記特許文献２のものでは、人感センサによって、空気調和機の運転を制御することから、省エネルギー運転が可能となる。しかし、リモートスイッチに運転状態を表示することができないため、空調エリアから一度退室した後に、空気調和機がどのような運転状態であるかを、確認するこができない。
【０００８】
上記特許文献３のものでは、空調エリアに人がいないと人体検知手段で検知した場合は、空気調和機表示部を消灯することができる。しかしながら、空気調和機の運転を停止することはできないため、省エネルギー効果は小さい。
【０００９】
本発明の目的は、大きな省エネルギー効果が得られる空気調和機を得ることにある。
【００１０】
本発明の他の目的は、省エネルギー効果に加え、更に運転状態の確認も容易に行うことができる空気調和機を得ることにある。
【課題を解決するための手段】
【００１１】
上記目的を達成するため本発明は、室外機と、この室外機に接続された室内機と、該室内機に運転状態連絡手段を介して接続されたリモートスイッチとを備える空気調和機において、前記室内機が設置されている部屋内の人の動きを検知する人感センサと、この人感センサに接続された運転状態判断手段と、空気調和機の運転動作を制御する運転動作制御手段と、時間カウント手段とを備え、前記人感センサに接続された運転状態判断手段が、前記人感センサからの検知情報により、人の動きが少ないと判断した場合、前記運転動作制御手段を介して空気調和機の運転容量を低減し、更に一定時間、前記人感センサからの検知情報により、人の動きが少ないと前記運転状態判断手段が判断した場合、前記運転動作制御手段を介して、更に空気調和機の運転容量を低減し、前記人感センサからの検知情報により、人の動きが全くないと前記運転状態判断手段が判断した場合には、前記時間カウント手段により一定時間経過後、前記運転動作制御手段を介して、空気調和機の運転を停止させ、更に、前記室内機に運転状態連絡手段を介して接続された前記リモートスイッチには運転状態表示手段が設けられると共に、前記室内機にも前記運転状態表示手段が設けられ、前記人感センサからの検知情報により、人の動きが全くないと前記運転状態判断手段が判断して空気調和機の運転を停止させた場合、前記リモートスイッチに設けられた前記運転状態表示手段及び前記室内機に設けられた前記運転状態表示手段により、前記人感センサからの検知情報により停止中であることを表示すると共に、前記室外機には、複数台の室内機が接続されて複数の部屋を空調する構成とし、部屋毎に設けられた前記人感センサからの検知情報に基づいて、人の不在を認識した部屋に設置されている室内機のみを停止させるように、前記運転状態判断手段と運転動作制御手段により制御される構成としたことを特徴とする。
【００１４】
前記リモートスイッチには、前記運転状態表示手段の他に、運転状態が表示される運転状態表示装置と、空気調和機の運転／停止の切り替えを行う運転／停止切り替え手段が設けられていることが好ましい。
【発明の効果】
【００１６】
本発明によれば、人感センサからの検知情報に基づいて、前記運転動作制御手段を介して空気調和機の運転容量を段階的に低減し、また人の不在或いは人の動きが全くない場合には一定時間経過後、空気調和機の運転を停止させるように構成しているので、大きな省エネルギー効果が得られる空気調和機を得ることができる。
【００１７】
また、前記人感センサからの検知情報により、人の動きが全くないと判断して空気調和機を停止させた場合に、室内機或いは前記リモートスイッチに設けた運転状態表示手段により、人感センサからの検知情報により停止中であることを表示するようにしたものでは、上記省エネルギー効果に加え、更に運転状態の確認も容易に行うことができる効果も得られる。
【図面の簡単な説明】
【００１８】
【図１】本発明の空気調和機の実施例１を示す全体構成図。
【図２】本発明の実施例１において、１台の室外機に複数台の室内機を接続した場合の例を説明する全体構成図。
【発明を実施するための形態】
【００１９】
以下、図面を用いて本発明の空気調和機の具体的実施例を説明する。
【実施例１】
【００２０】
図１は、本発明の空気調和機の実施例１を示す全体構成図である。  
空気調和装置１は、室外機１０と、この室外機１０に冷媒配管で接続された室内機２０などにより構成されている。また、前記室内機２０には運転状態連絡手段３０を介してリモートスイッチ（リモートコントロールスイッチ）４０が接続されている。
【００２１】
前記室内機２０には、該室内機２０が設置されている部屋内の人の動きを把握する、即ち部屋の状態を把握するために人の動きを感知できる人感センサ２１が設けられており、この人感センサ２１からの検知情報は室内機２０に設けられた運転状態判断手段２２に送られる。この運転状態判断手段２２は、前記人感センサ２１からの検知情報に基づいて、その部屋における人の動きが多い、少ない、或いは人が不在であることなどを判断する。
【００２２】
前記人感センサ２１により、部屋内の人の動きを把握して、人の動きが少ないと前記運転状態判断手段２２により判断された場合には、前記室内機２０に設けられ空気調和機の運転状態を変化させる運転動作制御手段２４を介して、空気調和機１（室内機２０と必要に応じ室外機１０）の運転を控えめ、即ち運転容量を低減させるように制御する。
【００２３】
その後、更に一定時間、前記人感センサ２１により人の動きが少ない、または人の動きが更に低下している、或いは部屋内の人の動きがなく一定時間不在であると、前記運転状態判断手段２２により判断された場合には、前記運転動作制御手段２４により、空気調和機の運転を更に控えめに、即ち運転容量を更に低減させるように制御する。
【００２４】
その後、更に、前記人感センサ２１により、人の動きが全くない、或いは人が不在であると前記運転状態判断手段２２により判断された場合には、室内機２０に設けられた時間カウント手段２３により経過時間をカウントして、一定時間経過後、前記運転動作制御手段２４により空気調和機の運転を停止させる。即ち、完全に人の動きがなく明らかに不在と判断された場合、少なくとも室内機２０の運転を自動的に停止させる。
【００２５】
なお、図１において、一点鎖線で囲まれている、上記運転状態判断手段２２、時間カウント手段２３及び運転動作制御手段２４は、本実施例では一つのマイコンで構成されている。
【００２６】
このように、本実施例によれば、前記リモートスイッチ４０に設けた運転／停止切り替え手段４２の操作に関わらず、人感センサ２１により、室内機２０が設けられた部屋の人の動きに合わせて、当該部屋の状況を把握し、人の動きが少ないと判断した場合、空気調和機の運転容量を前記運転動作制御手段２４により低減し、一定時間不在と判断された場合などには、更に空気調和機の運転容量を前記運転動作制御手段２４により低減し、人の動きが全くなくなったと判断された場合などには、一定時間経過後、空気調和機の運転を運転動作制御手段２４により停止させるように構成しているので、大きな省エネルギー効果が得られる空気調和機を得ることができる。
【００２７】
更に、本実施例では、前記室内機２０に運転状態表示手段２５が設けられており、前記リモートスイッチ４０には、運転／停止切り替え手段４２と、運転状態表示手段４３と、運転状態表示装置４１が設けられている。
【００２８】
前記運転動作制御手段２４により、空気調和機（室内機２０など）の運転を停止しているときには、室内機２０に設けた前記運転状態表示手段２５を使用して、前記人感センサ２１からの検知情報により停止中であることを表示するように構成されている。また、前記運転状態連絡手段３０を介して、前記リモートスイッチ４０にも、前記運転動作制御手段２４により運転を停止している状態であることを伝え、該リモートスイッチ４０に設けられている運転状態表示手段４３または運転状態表示装置（表示部）４１を使用して、前記人感センサ２１からの検知情報により停止中であることを表示させる。
【００２９】
本実施例では、前記人感センサ２１からの検知情報により停止中であることの表示を、前記室内機２０に設けた運転状態表示手段２５と、前記リモートスイッチ４０に設けた運転状態表示手段４３（または運転状態表示装置４１）の両方に表示するようにしているが、前記何れか一方のみに表示させるようにしても良い。
【００３０】
このように、本実施例によれば、空調エリアに人がいない場合には、空気調和機の運転を停止すると共に、それを表示するようにしているから、その部屋への入室者に、空気調和機が省エネルギーのために一旦停止していることを知らせることができ、故障により空気調和機が停止しているとの誤解などが生じるのを回避することができる効果がある。
【００３１】
図２は上記実施例１において、１台の室外機１０に複数台（この例では３台）の室内機２０を接続した場合の例を説明する全体構成図である。  
室外機１０に室内機２０を複数台接続できる構成とした場合、部屋毎のそれぞれの室内機２０に、図１に示したものと同様に、人感センサ２１、運転状態判断手段２２、時間カウント手段２３、運転動作制御手段２４及び運転状態表示手段２５が設けられている。また、各部屋毎に設けられたリモートスイッチ４０にも、図１と同様に、運転状態表示装置４１、運転／停止切り替え手段４２及び運転状態表示手段４３が設けられている。これにより、各部屋毎に、図１の場合と同様の制御や表示をすることができる。
【００３２】
また、部屋毎に設けられた前記人感センサ２１からの検知情報に基づいて、人の不在を認識した部屋に設置されている室内機２０のみを停止させるように、前記運転状態判断手段２２と運転動作制御手段２４により制御される構成としている。これにより、人が不在の部屋の室内機２０のみを自動的に停止させることができる。
【００３３】
以上説明したように、本実施例によれば、前記運転／停止切り替え手段４２の操作に関わらず、人の動きに合わせて、部屋の状況を把握し、人の動きが少ないと判断した場合には、空気調和機の運転を運転動作制御手段により控えめにし、一定時間不在と判断した場合や人の動きが更に低下した場合には空気調和装置の運転を前記運転動作制御手段により更に控えめにし、人の動きが全くなくなった場合には、一定時間経過後、空気調和機の運転を前記運転動作制御手段により停止させるように構成しているので、大きな省エネルギー効果が得られる空気調和機を得ることができる。
【００３４】
また、人感センサからの検知情報に基づいて、空気調和機を停止させた場合には、そのことをリモートスイッチや室内機に表示できるようにしているから、前記省エネルギー効果に加え、更に運転状態の確認を使用者に知らせることが容易に可能となる。即ち、部屋に人が居ない状態になったため、省エネルギー化のために室内機の運転を停止させていることを使用者に容易に知らせることもできる。
【符号の説明】
【００３５】
１：空気調和機、
１０：室外機、
２０：室内機、
２１：人感センサ、
２２：運転状態判断手段、
２３：時間カウント手段、
２４：運転動作制御手段、
２５：運転状態表示手段、
３０：運転状態連絡手段、
４０：リモートスイッチ、
４１：運転状態表示装置、
４２：運転／停止切り替え手段、
４３：運転状態表示手段。
【図１】
0005636324.tif 000002
【図２】
0005636324.tif 000003